(57)【要約】【課題】  発光効率が向上された液晶用バックライト光源を実現する。【解決手段】  発光部からの光が反射部で反射されて、導光部、拡散部、偏光部を通って液晶部に導入される液晶用バックライト光源において、  前記発光部を囲んで設けられ通過した発光部からの光が前記導光部に導入される反射型偏光部を具備したことを特徴とする液晶用バックライト光源である。【選択図】                    図１
2005257971.tif 000002
【特許請求の範囲】
【請求項１】
発光部からの光が反射部で反射されて、拡散部、偏光部を通って液晶部に導入される液晶用バックライト光源において、
前記発光部を囲んで設けられ通過した発光部からの光が前記導光部に導入される反射型偏光部
を具備したことを特徴とする液晶用バックライト光源。
【請求項２】
前記反射型偏光部は、高分子多層膜の分子配向を制御して得られた部材からなること
を特徴とする請求項１記載の液晶用バックライト光源。
【請求項３】
前記発光部はサイドライト型であること
を特徴とする請求項１又は請求項２記載の液晶用バックライト光源。
【請求項４】
前記発光部は直下型であること
を特徴とする請求項１又は請求項２記載の液晶用バックライト光源。
【発明の詳細な説明】
【技術分野】
【０００１】
本発明は、発光効率が向上された液晶用バックライト光源に関するものである。
【背景技術】
【０００２】
液晶用バックライト光源に関連する先行技術文献としては次のようなものがある。
【特許文献１】特開平６−１８６５５９号公報
【０００３】
従来技術における代表的な液晶用バックライト光源には、図３に示されるものがある。  液晶は、一般的に背面に光源を必要とし、その光源は偏光でなければならないと言う性質を有する。
【０００４】
図において、１は発光部で、この場合は、蛍光ランプが使用されている。
２は反射部で、発光部１からの光を反射する。
３は導光部で、発光部１と反射部２で反射された光とは、導光部３により出射方向が液晶側に向うように向きが変えられる。
【０００５】
４は拡散部で、導光部３からの光が拡散される。
５は偏光部で、拡散部４からの光が偏光される。
６は液晶部で、偏光部５からの光が背面より透過される。
【０００６】
以上の構成において、発光部１で生成された光は拡散部４により、むらが低減されたのち、偏光部５を通ることにより偏光となり、液晶部６に入射される。
【発明の開示】
【発明が解決しようとする課題】
【０００７】
一般的には偏光板の透過光量は５０％以下である。
近年、より透過効率の高い部材も公開されており、この場合は透過効率は５０％を超えるが，せいぜいこの程度である。
【０００８】
本発明の目的は、上記の課題を解決するもので、発光効率が向上された液晶用バックライト光源を提供することを目的とする。
【課題を解決するための手段】
【０００９】
このような課題を達成するために、本発明では、請求項１の液晶用バックライト光源においては、
発光部からの光が反射部で反射されて、拡散部、偏光部を通って液晶部に導入される液晶用バックライト光源において、
前記発光部を囲んで設けられ通過した発光部からの光が前記導光部に導入される反射型偏光部を具備したことを特徴とする。
【００１０】
本発明の請求項２においては、請求項１記載の液晶用バックライト光源において、
前記反射型偏光部は、高分子多層膜の分子配向を制御して得られた部材からなること
を特徴とする請求項１記載の液晶用バックライト光源。
【００１１】
本発明の請求項３においては、請求項１又は請求項２記載の液晶用バックライト光源において、
前記発光部はサイドライト型であることを特徴とする。
【００１２】
本発明の請求項４においては、請求項１又は請求項２記載の液晶用バックライト光源において、
前記発光部は直下型であることを特徴とする。
【発明の効果】
【００１３】
本発明によれば、次のような効果がある。
バックライトの発光部から照射される段階の光を偏光成分とし、それ以外の成分を反射型偏光部を使用して、最短距離で発光部に戻すことにより、無効成分の反射距離に応じての損失を防止して、発光効率が向上できる液晶用バックライト光源が得られる。
【発明を実施するための最良の形態】
【００１４】
以下本発明を図面を用いて詳細に説明する。
図１は本発明の一実施例の要部構成説明図である。
反射型偏光部１１は、発光部１を囲んで設けられ、通過した発光部１からの光が、導光部３に導入される。
【００１５】
反射型偏光部１１は、反射型偏光材からなり、例えば、３Ｍ社製のＤＢＥＦ(商品名)が使用されている。
ＤＢＥＦ(商品名)は、高分子多層膜の分子配向を制御することで得られている。
なお、反射型偏光部１１は、「任意偏光のみを透過し、それ以外は反射する」特性を有する。「鏡面反射した光の偏光度があがる」特性を有するものではない。
【００１６】
以上の構成において、発光部１から出た散乱光は、反射型偏光部１１により特定偏光のみが出射され、それ以外の成分は発光部１に戻る。
出射された特定偏光成分は導光部３により出射方向が液晶６側に向うよう向きを変えられ、このとき偏光成分の一部は散乱光になり、このため成分としては偏光となる。
拡散部４を通ることでさらに散乱光が増加する。
【００１７】
偏光部５を通ることで、透過光はほぼ直線偏光となり、非透過光は拡散部４に戻るか、偏光部５に吸収される。
拡散部４に戻った非透過光は再び散乱光となり、導光部３に戻るか偏光部５に向かう。
偏光部５を通った偏光は、液晶６の表示画面に応じて、透過または非透過することで画面表示として視認できるようになる。
【００１８】
この結果、
反射型偏光部１１を発光部１に近接させることで、非透過となる偏光成分を最短距離で発光部１に戻し、再度発光部１の反射により散乱光とすることにより、無効成分を低減することができる。
反射型偏光部１１のない場合は、偏光部５に到達してから無効成分が反射されるため、距離に応じて損失が増加している。
【００１９】
最短距離で無効成分を反射させることで、この損失の比率を低減させることができる。
これにより同一の明るさを得るための電力を低減できる液晶用バックライト光源が得られる。
同一の電力を加えた場合の明るさは向上する液晶用バックライト光源が得られる。
【００２０】
図２は本発明の他の実施例の要部構成説明図である。
本実施例においては、液晶に対して直下に発光体がある直下型バックライトの例に付いて示されたものである。
複数の反射型偏光部２１は、複数の発光部１をそれぞれ囲んで設けられ、通過した発光部１からの光が、拡散部４に導入される。
反射部２２は、複数の発光部１を囲んで設けられている。
【００２１】
以上の構成において、発光部１から出た散乱光は、反射型偏光部２１により特定偏光のみが出射され、それ以外の成分は発光部１に戻る。
出射された特定偏光成分は、拡散部４を通ることでさらに散乱光が増加する。
一方、反射部２２で反射された光も、拡散部４に入射される。
偏光部５を通ることで、透過光はほぼ直線偏光となり、非透過光は拡散部４に戻るか、偏光部５に吸収される。
【００２２】
拡散部４に戻った非透過光は再び散乱光となり、発光部１に戻るか偏光部５に向かう。
偏光部５を通った偏光は、液晶６の表示画面に応じて、透過または非透過することで画面表示として視認できるようになる。
【００２３】
この結果、
反射型偏光部２１を発光部１に近接させることで、非透過となる偏光成分を最短距離で発光部１に戻し、再度発光部１の反射により散乱光とすることにより、無効成分を低減することができる。
反射型偏光部２１のない場合は、偏光部５に到達してから無効成分が反射されるため、距離に応じて損失が増加している。
【００２４】
最短距離で無効成分を反射させることで、この損失の比率を低減させることができる。
これにより同一の明るさを得るための電力を低減できる液晶用バックライト光源が得られる。
同一の電力を加えた場合の明るさは向上する液晶用バックライト光源が得られる。
【００２５】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【図面の簡単な説明】
【００２６】
【図１】本発明の一実施例の要部構成説明図である。
【図２】本発明の他の実施例の要部構成である。
【図３】従来より一般に使用されている従来例の構成説明図である。
【符号の説明】
【００２７】
１      発光部
２      反射部
３      導光部
４      拡散部
５      偏光部
６      液晶部
１１    反射型偏光部
２１    反射型偏光部
２２    反射部
【図１】
2005257971.tif 000003
【図２】
2005257971.tif 000004
【図３】
2005257971.tif 000005